(57)【要約】【課題】血液廃棄物を安全に処理するための捕集容器の提供。【解決手段】開口部２３を備える容器本体２、開口部を塞ぐ蓋３、容器１内に配置される吸収パッド４から構成されており、容器本体の開放端の全周にはフランジ２４とその外周に周壁２５が一体成形され、蓋３には開口部２３の全面を覆う平坦部３１、フランジ２４及び周壁２５を覆う環状部３２、注射器挿入口３３、平坦部３１の背面側に貼設され、容器１内の血液廃棄物が注射器挿入口３３から容器外へ跳ね出したりや漏れ出したりを防止する機能を有する海綿部材５を備え、容器本体２に蓋３を合わせて押し込むと、前記環状部外側の復元力により周壁２５の下端全周に環状爪３４が係止し、蓋３が容器本体２に固定される。注射器を注射器挿入口３３へ挿し込むと、海綿部材３４の切り目３５によって押し広げられ、一方注射器を抜き去ると海綿部材３４の復元力により注射器挿入口３３を塞ぐ。【選択図】図１
0003176442.tif 000002
【実用新案登録請求の範囲】
【請求項１】
上方に開かれた開口部を有する容器本体と、前記開口部を塞ぐ蓋と、前記容器本体内に配置される吸収パッドと、から構成された血液廃棄物の捕集容器において、
前記容器本体の開口部端の全周には、横向きの平らなフランジと、該フランジの外周に前記容器本体の側部上方に対向する下方に末広がりの周壁が一体成形されているとともに、
前記蓋には、前記容器本体の開口部の全面を覆う平坦部と、前記平坦部の外周に前記フランジ及び周壁を覆う環状部と、注射器を容器内に挿し込むために前記平坦部の中央に形成された注射器挿入口と、前記平坦部の背面側に貼設され、前記容器本体内に収容された血液廃棄物が前記注射器挿入口から容器外部へ跳ね出したりや漏れ出したりを防止する機能を有する海綿部材と、を備え、
前記蓋の環状部外側の中間部分が外に折れた縦断面“く”字形状に成形されており、前記環状部外側の下方内面には環状部内側の方向に突出する環状爪が形成されており、前記容器本体の開口部分に前記蓋を合わせて押し込むと、前記環状部外側の復元力により前記周壁の下端全周に前記環状爪が係止して前記容器本体に固定され、
前記海綿部材は、前記注射器挿入口の中心から複数の放射状の切り目が設けられており、注射器を前記注射器挿入口へ挿し込むと、前記海綿部材が押し広げられ、一方注射器を前記注射器挿入口から抜き去ると、前記海綿部材の復元力により前記注射器挿入口を塞ぐことを特徴とする血液廃棄物の捕集容器。
【考案の詳細な説明】
【技術分野】
【０００１】
本考案は、医療の液体廃棄物を捕集する容器に関し、特に汚染された血液廃棄物を安全に捕集する為の廉価な捕集容器に関する。
【背景技術】
【０００２】
従来、医療現場において、汚染された血液などの液体廃棄物の取り扱いには細心の注意が払われている。血液廃棄物を処理する場合には、安全性を確保するため、専用の血液捕集容器が使用されている。
特許文献１には、上方を開放され、底部１４と壁部１６を有する容れもの部１２を含み、壁部１６の上端にはフランジ２４のあるリム２２が設けられ、このリム２２に上部開放を覆う蓋３２を付け、リム２２と蓋３２の円周状のヘリ４４とをかみ合わせ、密封するよう構成されており、蓋３２には中央に貫通する開口部５６が形成された凹所５０が設けられ、この凹所５０に対応した位置に閉止用のたれ蓋６０が取付けられた、汚染された医療の液体廃棄物の容器が記載されている。
特許文献２には、開孔１６を有する容器１５、多孔質材料で作製され、容器内に設置された吸収材２０、高耐水性、非水溶性材料で作製された密閉層２９が組み合わされ、容器１５の開孔との間を密封する蓋２５、この蓋２５上に配置された吸収材３５から構成されており、蓋２５の中央部に形成された貫通孔２８、３６には、十分な弾性あるいは形状記憶（復元）特性を有する材料で作製され、注射器５０の注入口３０への挿入や抜き出した後の液体漏洩の防止機能を有する弾性材料２７を設けた血液廃棄物の捕集容器が記載されている。
特許文献３には、開放トップ部に側壁２０に連続してスナップリング２５を設けた箱形の貯蔵容器１２、リング２５の内側に配置され、貯蔵容器１２の中に汚染流体の流れ出しを防止するための蓋１４、貯蔵容器１２内に容れた汚染流体吸収パッド１６、貯蔵容器１２内に汚染廃棄物を収集した後に、スナップリング２５の上に置かれて流体漏出防止のシールを行うベース部材１８から構成されており、蓋１４は各辺から中央に向かって傾斜した面を持っており、その底部の開口４７には複数の切れ目５４を設けた海綿部材で作られたディスク５２が配置された廃棄物汚染システム１０が記載されている。
【先行技術文献】
【特許文献】
【０００３】
【特許文献１】米国特許第６０５３３１４号明細書
【特許文献２】米国特許第５７０７１７３号明細書
【特許文献３】米国特許第５４８３９９９号明細書
【考案の概要】
【考案が解決しようとする課題】
【０００４】
従来の血液廃棄物の捕集容器は、使い捨て容器として部品数が多く高価であるなどの問題があった。
本考案は、汚染された医療の液体廃棄物を捕集する容器に関し、特に安全性の確保に必要な最少限の部品数で簡素化して安価にした、血液廃棄物を安全に処分する捕集容器に関する。
【課題を解決するための手段】
【０００５】
本考案に係る血液廃棄物の捕集容器は、上方に開口部を有する容器本体と、前記開口部を塞ぐ蓋と、前記容器本体内に配置される吸収パッドと、から構成された血液廃棄物の捕集容器において、
前記容器本体の開放端の全周には、横向きの平らなフランジと、該フランジの外周に前記容器本体の側部上方に対向する下方に末広がりの周壁が一体成形されているとともに、
前記蓋には、前記容器本体の開口部の全面を覆う平坦部と、前記平坦部の外周に前記フランジ及び周壁を覆う環状部と、注射器を容器内に挿し込むために前記平坦部の中央に形成された注射器挿入口と、前記平坦部の背面側に貼設され、前記容器本体内に収容された血液廃棄物が前記注射器挿入口から容器外へ跳ね出したりや漏れ出したりを防止する機能を有する海綿部材と、を備え、
前記蓋の環状部外側の縦断面が“く”字形状に成形されており、前記環状部外側の下方内面には環状部内側の方向に突出する環状爪が形成されており、前記容器本体の開口部分に前記蓋を合わせて押し込むと、前記環状部外側の復元力により前記周壁の下端全周に前記環状爪が係止して前記容器本体に固定され、
前記海綿部材は、前記注射器挿入口の中心から複数の放射状の切り目が設けられており、注射器を前記注射器挿入口へ挿し込むと、前記海綿部材が押し広げられ、一方注射器を前記注射器挿入口から抜き去ると、前記海綿部材の復元力により前記注射器挿入口を塞ぐことを特徴とする。
【考案の効果】
【０００６】
本考案によれば、容器本体の開口部に蓋を合わせて押し込むと、縦断面“く”字形の環状部外側の形状が復元され、フランジの周壁の下端全周に環状爪が係止し、蓋が容器本体に密封固定されているので、運搬中に蓋が外れたりすることがなく、また容器本体と蓋の結合部分が不完全になることもない。また、注射器挿入口は切れ目の入った海綿部材によって常態において塞がれているので、注射器を挿し込むと押し広がり、一方注射器を抜き去ると海綿部材の復元力により注射器挿入口が閉じられるので、血液廃棄物が容器外へ跳ね上がったり、漏れ出したりを防止でき、安全な処分を可能にする。
【図面の簡単な説明】
【０００７】
【図１】図１は本考案の実施例である血液廃棄物の捕集容器の構成部品を中心線より左側断面を示した側面図である。
【図２】図２は血液廃棄物の捕集容器を中心線より左側断面を示した側面図である。
【図３】図３は図２の丸囲み部分の拡大断面図である。
【図４】図４は血液廃棄物の捕集容器の使用説明図である。
【図５】図５は注射器を操作したときの説明図である。
【考案を実施するための形態】
【０００８】
以下に、本考案の実施の形態について図面を参照しながら説明する。
【０００９】
図１は本考案の実施例である血液廃棄物の捕集容器の構成部品を中心線より左側を断面で示した側面図、図２は血液廃棄物の捕集容器を中心線より左側を断面で示した側面図、図３は図２の丸囲み部分の拡大断面図である。
【００１０】
捕集容器１は、容器本体２と、この容器本体２の上方に開かれた開口部２３を塞ぐ蓋３と、容器本体２内に収容された吸収パッド４とから構成されており、焼却できる材質として、例えば合成樹脂で作製されている。容器本体２は、側部２１、底部２２からなり、上方に開かれた円形の開口部２３を設けた逆円錐台形状に作製されており、開放端の全周には横向きの平らなフランジ２４が形成されている。フランジ２４の外周には、下方に末広がりの周壁２５が側部２１に対向して形成されており、これらの側部２１，フランジ２４，周壁２５に囲われた環状空間にはリブ２６が所定間隔に一体成形され、容器本体２の開口部端が補強されている。
【００１１】
蓋３は、容器本体２の開口部２３の全面を覆う平坦部３１と、前記平坦部３１の外周にフランジ２４及び周壁２５を覆う環状部３２と、前記平坦部３１の中央に形成され、血液廃棄物を収容した注射器を挿し込むための円形の注射器挿入口３３とを備えている。平坦部３１にはその背面、すなわち容器本体２の内側に位置する面に海綿部材５が貼設されており、この海綿部材５は注射器挿入口３３を塞ぐとともに、容器本体２に収容された血液廃棄物が注射器挿入口３３から容器外部へ跳ね出したりや漏れ出したりを防止する機能を有する。
【００１２】
蓋３の環状部３２は、平坦部３１の面より突出形成されており、環状部３２の頂面３２１がフランジ２４に、また環状部内側３２２の内面が容器本体２の上部内周に、更には環状部外側３２３の内面がフランジ２４の周壁２５のそれぞれに対向する。環状部外側３２３は、フランジ２４の周壁２５の幅より僅かに幅広に形成されているとともに、環状部外側３２３の中間部分が外へ折れた縦断面“く”字形状（図３参照）に成形され、弾性復元力をもっている。環状部外側３２３の下方内面には、環状部内側３２２の方向に突出する環状爪３４が形成されている。環状爪３４の先端の内径は、周壁２５の下端近傍の周囲外径より若干小径に形成されている。
【００１３】
容器本体２の開口部２３に蓋３を合わせて押し込むと、図２及び３に示すように環状部外側３２３が周壁２５を覆うとともに、環状爪３４の先端が周壁２５の傾斜面を押しながら下方に進み、この過程において“く”字形の環状部外側３２３が変形する。環状爪３４が周壁２５の下端を過ぎるまで押し込まれると、環状部外側３２３の変形が解除され、形状が復元され、周壁２５の下端全周に環状爪３４が係止し、環状部３２がフランジ２４を覆って蓋３が容器本体２に密封固定される。
【００１４】
蓋３の注射器挿入口３３を塞ぐ海綿部材５は、血液廃棄物に対して優れた吸収性能を有し、確実な吸液保持のため所定厚みを持っており、注射器挿入口３３の中心から放射状、例えば十字形の切り目３５が設けられている。海綿部材５は、例えば厚さ１０ｍｍの多孔質材により作製される。注射器６を注射器挿入口３３へ挿し込むと、海綿部材３４が押し広げられる。その後の注射器６の操作により血液廃棄物が容器本体２に排出されるが、その際の血液廃棄物の跳ね返りによる注射器挿入口３３から容器外部への漏れ出しを海綿部材５が阻止する。また、海綿部材５は、注射器６を抜き取る際に、注射器６に付着した血液廃棄物を拭き取る作用もある。
【００１５】
吸収パッド４は、高分子吸収剤を詰めたもので、予め容器本体２内に入れられる。注射器６により容器１内に排出された血液廃棄物は、吸収パッド４にしみ込んで高分子吸収剤に捕捉され、その状態が保持されるため、容器内の血液廃棄物が注射器挿入口３３から容器１外への漏れ出しを防ぐことができる。
【００１６】
図４及び５を参照しながら捕集容器１の使用について説明する。汚染された血液が入った注射器６の針を含む先端部分を捕集容器１の注射器挿入口３３から海綿部材５を押し開いて容器内に挿し込んで注射器６を操作し、血液廃棄物７を容器内に容れる。容器内の血液廃棄物７は、吸収パッド４に吸収され、高分子吸収剤に捕捉されて保持される。注射器６を抜くと海綿部材５の復元力により図４に示す常態に戻り注射器挿入口３３が閉じられる。
【００１７】
所定量の血液廃棄物７で捕集容器１が満たされると安全に処分される。捕集容器１は、蓋３の環状部３２が容器本体２の開口部２３の周縁を密封しているとともに、注射器６を抜いたとき海綿部材５の復元力により注射器挿入口３が閉じられるので、容器内の血液廃棄物は容器外に跳ね上がったり、漏れ出したりが防止でき、安全な処分を可能にする。
【符号の説明】
【００１８】
１    捕集容器
２    容器本体
３    蓋
４    吸収パッド
５    海綿部材
６    注射器
７    血液廃棄物
【図１】
0003176442.tif 000003
【図２】
0003176442.tif 000004
【図３】
0003176442.tif 000005
【図４】
0003176442.tif 000006
【図５】
0003176442.tif 000007